(57)【要約】【課題】収納性、使用性が向上する低コストの布団乾燥機を提供する。【解決手段】本発明の布団乾燥機は、布団８、９近くに置かれる乾燥ユニット３とホース２と温風Ｏを供給する本体部１とを備え、本体部１から供給される温風Ｏをホース２を介して乾燥ユニット３から吹き出し、布団８、９を乾燥させる布団乾燥機Ｆであって、乾燥ユニット３は、温風Ｏを外部に吹き出す吹出し口３ａ、３ｂ、３ｃ、３ｄｕ、３ｄｓ、３ｏを複数有し、乾燥ユニット３とホース２との間に設けられ、乾燥ユニット３のホース２に対する角度を可変とする回動機構接続部６を備えている。【選択図】図１
2017074198.tif 000002
【特許請求の範囲】
【請求項１】
布団近くに置かれる乾燥ユニットとホースと温風を供給する本体部とを備え、前記本体部から供給される前記温風を前記ホースを介して前記乾燥ユニットから吹き出し、前記布団を乾燥させる布団乾燥機であって、
前記乾燥ユニットは、前記温風を外部に吹き出す吹出し口を複数有し、
前記乾燥ユニットと前記ホースとの間に設けられ、前記乾燥ユニットの前記ホースに対する角度を可変とする回動機構接続部を備える
ことを特徴とする布団乾燥機。
【請求項２】
前記回動機構接続部は、前記乾燥ユニットと前記ホースとを一の方向の前記角度を可変とする
ことを特徴とする請求項１に記載の布団乾燥機。
【請求項３】
前記回動機構接続部は、前記乾燥ユニットと前記ホースとを一の方向およびその他の方向の前記角度を可変とする
ことを特徴とする請求項１に記載の布団乾燥機。
【請求項４】
前記回動機構接続部は、略円筒状面を摺動させることで前記角度を可変とする
ことを特徴とする請求項１または請求項２に記載の布団乾燥機。
【請求項５】
前記回動機構接続部は、略球状面を摺動させることで前記角度を可変とする
ことを特徴とする請求項１または請求項３に記載の布団乾燥機。
【請求項６】
前記本体部は、
前記乾燥ユニットと前記ホースとを側方から内部に収納し、前記側方から前記乾燥ユニットと前記ホースとを取り出す側方収納取り出し口を有する
ことを特徴とする請求項１から請求項５のうちの何れか一項に記載の布団乾燥機。
【請求項７】
前記回動機構接続部と前記乾燥ユニットまたは前記ホースの何れかとの間に気密性を保つシール部材を備える
ことを特徴とする請求項１から請求項６のうちの何れか一項に記載の布団乾燥機。
【発明の詳細な説明】
【技術分野】
【０００１】
本発明は、各種の布団を乾燥させる布団乾燥機に関する。
【背景技術】
【０００２】
図１４は、従来の布団乾燥機の乾燥マット近傍を上方より見た断面図であり、図１５は従来の布団乾燥機の乾燥マットで布団を乾燥させている状態を側方より見た断面図である。
【０００３】
従来、特許文献１に記載されるように、各種の布団を乾燥させるための布団乾燥機がある。布団乾燥機は、乾燥マット１１０に温風Ｏを流して布団の乾燥が行われる。
【０００４】
例えば、布団乾燥機は、乾燥マット１１０の下方に敷き布団１０８が載置され、乾燥マット１１０の上方に掛け布団１０９が掛けられる。そして、乾燥マット１１０内より温風を吹き出したり乾燥マット１１０による熱伝導により、乾燥マット１１０の下方の敷き布団１０８と、乾燥マット１１０の上方の掛け布団１０９とを乾燥させる。  
【０００５】
乾燥マット１１０は、例えば布団乾燥機本体(図示せず)よりホース１０２を介して温風Ｏが、外周部温風通路１１１の内部に供給され、外周部温風通路１１１を通過して中心部温風通路１１２に流れる。
【０００６】
外周部温風通路１１１は、内部に温風Ｏが流れ(滞留し)て筒状形状に膨らみを作り、掛け布団１０９と敷き布団１０８との間に隙間を作る。そして、外周部温風通路１１１を通過した温風は、中心部温風通路１１２に流れ、中心部温風通路１１２から下方の敷き布団１０８側に直接通気して、敷き布団１０８側の乾燥が行われる。
【０００７】
その他、中心部温風通路１１２からの温風が届かない掛け布団１０９や敷き布団１０８は、外周部温風通路１１１および中心部温風通路１１２の熱伝導(図１５の破線矢印参照)により乾燥が行われる。
【先行技術文献】
【特許文献】
【０００８】
【特許文献１】特開平８−１０４９９号公報
【発明の概要】
【発明が解決しようとする課題】
【０００９】
ところで、従来、乾燥マット１１０は敷き布団１０８と同じ大きさで素材は薄い維布で構成されている。そのため、乾燥マット１１０を、掛け布団１０９と敷き布団１０８との間にセットするためには、乾燥マット１１０の皺や折り重なりが無いように確認が必要であった。乾燥マット１１０に皺や折り重なりがある場合、乾燥マット１１０が温風により充分に膨らまないため、布団(１０８、１０９)の隅々まで温風が行き渡らず布団(１０８、１０９)の乾燥が十分にできない場合が起こる。
【００１０】
そこで、最近では、乾燥マット１１０に代えて、変形しない筐体状のユニットをホースに接続した布団乾燥機が市場に出回っている。筐体状のユニットは、例えば二股の箱形状、なが細い長形の箱形状等様々な形状のものがある。
【００１１】
しかし、当該布団乾燥機は、筐体状のユニットに蛇腹状のホースが一体に連結されている。そのため、布団乾燥機の未使用時、筐体状のユニットを布団乾燥機本体に収納する際、筐体状のユニットが布団乾燥機本体内に納まるように、蛇腹状のホースを折り曲げる必要がある。従って、ホースの長さに余裕をみる必要があり、余裕分の長さが必要になる。
さらに、筐体状のユニットを布団乾燥機本体内に収納する際には、筐体状のユニットに繋がる蛇腹状のホースを布団乾燥機本体内に押し入れる必要がある。
【００１２】
また、布団乾燥機の使用時、筐体状のユニットにホースが一体に連結されていることから、筐体状のユニットのホースに対する角度を小さく取り扱う場合、蛇腹状のホースの変形が大きくなるため、ホースの長さに余裕をとる必要がある。
加えて、布団乾燥機の使用時には、筐体状のユニットにホースが一体に連続しているため、筐体状のユニットを布団内に入れる際にホースに無理がかからないように取り扱わねばならない。
【００１３】
本発明は上記実状に鑑み創案されたものであり、収納性、使用性が向上する低コストの布団乾燥機の提供を目的とする。
【課題を解決するための手段】
【００１４】
前記課題を解決するため、第１の本発明の布団乾燥機は、布団近くに置かれる乾燥ユニットとホースと温風を供給する本体部とを備え、前記本体部から供給される前記温風を前記ホースを介して前記乾燥ユニットから吹き出し、前記布団を乾燥させる布団乾燥機であって、前記乾燥ユニットは、前記温風を外部に吹き出す吹出し口を複数有し、前記乾燥ユニットと前記ホースとの間に設けられ、前記乾燥ユニットの前記ホースに対する角度を可変とする回動機構接続部を備えている。
【００１５】
第１の本発明の布団乾燥機によれば、乾燥ユニットのホースに対する角度を可変とする回動機構接続部を備えるので、乾燥ユニットとホースとの成す角を変えられ、乾燥時の乾燥ユニットとホースとの姿勢を様々に選択できる。そのため、使用性が向上する。また、乾燥ユニットとホースとを本体部に収納するに際して、乾燥ユニットとホースとの成す角を変えられるので、収納が容易かつ円滑に行える。そのため、収納性が向上する。
従って、乾燥ユニットとホースとの取扱性が向上する。
【００１６】
第２の本発明の布団乾燥機は、第１の本発明の布団乾燥機において、前記回動機構接続部は、前記乾燥ユニットと前記ホースとを一の方向の前記角度を可変としている。
第２の本発明の布団乾燥機によれば、乾燥ユニットとホースとを一の方向に角度を変えられるので、乾燥ユニットとホースとを一の方向の取扱性が向上する。
【００１７】
第３の本発明の布団乾燥機は、第１の本発明の布団乾燥機において、前記回動機構接続部は、前記乾燥ユニットと前記ホースとを一の方向およびその他の方向の前記角度を可変としている。
第３の本発明の布団乾燥機によれば、乾燥ユニットとホースとを一の方向およびその他の方向に角度を変えられるので、乾燥ユニットとホースとを一の方向およびその他の方向の取扱性が向上する。
【００１８】
第４の本発明の布団乾燥機は、第１または第２の本発明の布団乾燥機において、前記回動機構接続部は、略円筒状面を摺動させることで前記角度を可変としている。
第４の本発明の布団乾燥機によれば、回動機構接続部は、略円筒状面を摺動させることで角度を可変とするので、乾燥ユニットとホースとを一の方向に角度を変えられる。
また、回動機構接続部を分割構造とし、乾燥ユニットの一部または全部を分割構造とし、回動機構接続部と乾燥ユニットとを嵌合する構成で実現できる。
【００１９】
第５の本発明の布団乾燥機は、第１または第３の本発明の布団乾燥機において、前記回動機構接続部は、略球状面を摺動させることで前記角度を可変としている。
第５の本発明の布団乾燥機によれば、回動機構接続部は、略球状面を摺動させることで前記角度を可変とするので、乾燥ユニットとホースとを全方向に角度を変えられる。
また、回動機構接続部を分割構造とし、乾燥ユニットの一部または全部を分割構造とし、回動機構接続部と乾燥ユニットとを嵌合する構成で実現できる。
【００２０】
第６の本発明の布団乾燥機は、第１から第５のうちの何れかの本発明の布団乾燥機において、本体部は、前記乾燥ユニットと前記ホースとを側方から内部に収納し、前記側方から前記乾燥ユニットと前記ホースとを取り出す側方収納取り出し口を有している。
第６の本発明の布団乾燥機によれば、乾燥ユニットと前記ホースとを本体部の側方から取り出し、収納できる。そのため、取扱性が向上する。また、本体部の内部に埃が入りずらい。
【００２１】
第７の本発明の布団乾燥機は、第１から第６のうちの何れかの本発明の布団乾燥機において、前記回動機構接続部と前記乾燥ユニットまたは前記ホースの何れかとの間に気密性を保つシール部材を備えている。
第７の本発明の布団乾燥機によれば、乾燥ユニットまたはホースの何れかとの間に気密性を保つシール部材を備えるので、乾燥ユニットとホースとの成す角度を変えた場合に、回動機構接続部と乾燥ユニットまたはホースの何れかとの間から温風が漏出することが抑制できる。
【発明の効果】
【００２２】
本発明によれば、収納性、使用性が向上する低コストの布団乾燥機を提供することができる。
【図面の簡単な説明】
【００２３】
【図１】本発明の実施形態に係る布団乾燥機を斜め前上方から見た斜視図。
【図２】（ａ）は実施形態の布団乾燥機の使用状態を斜め前方から見た斜視図、（ｂ）は実施形態の布団乾燥機の使用状態を側方から見た側面図。
【図３】乾燥ユニット周辺を示す斜視図。
【図４】乾燥機本体内に乾燥ユニットとホースとを収納した乾燥機本体の外観斜視図。
【図５】（ａ）は乾燥ユニット単体を示す斜視図、（ｂ）は回動機構接続部を示す斜視図。
【図６】（ａ）は回動機構接続部とホースとを接続した状態を示す斜視図、（ｂ）は回動機構接続部と乾燥ユニットとを接続した状態を示す斜視図。
【図７】（ａ）、（ｂ）は乾燥ユニットとホースとの姿勢の変化を示す側面図、（ｃ）は（ａ）、（ｂ）の姿勢での乾燥ユニット内の温風の流れを示す平面図。
【図８】（ａ）は乾燥ユニットをホースに対して９０°の角度曲げた状態を示す側面図、（ｂ）は乾燥ユニットをホースに対して９０°の角度曲げた状態での乾燥ユニット内の温風の流れを示す平面図。
【図９】（ａ）、（ｂ）は、変形例１の布団乾燥機の乾燥ユニットの他例１、２を示す斜視図。
【図１０】変形例２の布団乾燥機の乾燥ユニットを示す斜視図。
【図１１】変形例３の布団乾燥機の乾燥ユニットを示す斜視図。
【図１２】変形例４の布団乾燥機本体を示す斜視図。
【図１３】（ａ）は変形例４の乾燥ユニットとホースとの接続部近傍を示す斜視図、（ｂ）は変形例４の回動機構接続部を示す斜視図。
【図１４】従来の布団乾燥機の乾燥マット近傍を上方より見た断面図。
【図１５】従来の布団乾燥機の乾燥マットで布団を乾燥させている状態を側方より見た断面図。
【発明を実施するための形態】
【００２４】
以下、本発明の実施形態について、適宜図面を参照しながら詳細に説明する。
＜＜実施形態１＞＞
図１は、本発明の実施形態に係る布団乾燥機を斜め前上方から見た斜視図である。
【００２５】
実施形態の布団乾燥機Ｆは、温風を吹き出す乾燥ユニット３を、従来の敷き布団の大きさとほぼ同じ大きさの布製の乾燥マットに替えて、筐体形状ユニットにし、乾燥ユニット３とホース２とが接続部の回動機構接続部６で折れ曲がり（屈曲）できるという点に特徴がある。
換言すれば、乾燥ユニット３とホース２とは接続部の回動機構接続部６で折れ曲がり自在である。
【００２６】
図２（ａ）は、実施形態の布団乾燥機の使用状態を斜め前方から見た斜視図であり、  図２（ｂ）は、実施形態の布団乾燥機の使用状態を側方から見た側面図である。
布団乾燥機Ｆの使用時には、筐体形状（箱形状）の乾燥ユニット３を、掛け布団９と敷き布団８との間に入れる。この際、乾燥ユニット３とホース２とが回動機構接続部６を介して曲がることができるので、乾燥ユニット３を無理なく掛け布団９と敷き布団８との間にセットできる。
乾燥ユニット３は箱形状であるため、セット（設置）が容易である。
【００２７】
そして、ホース２から乾燥ユニット３に送られる温風Ｏを、乾燥ユニット３の周壁から外部に放出することで布団(９、８)の乾燥・暖めができる。この際、乾燥ユニット３は箱形状であることから、掛け布団９を上方に支えて温風Ｏの流路を作り、温風Ｏを布団(９、８)間の広い範囲に行き渡らせることができる。
【００２８】
布団乾燥機Ｆは、乾燥機本体１とホース２と乾燥ユニット３とを備えている。
乾燥機本体１は、合成樹脂製の筺体１ｋで覆われ、布団乾燥機Ｆを制御するための図示しない制御装置やファン等が搭載される。乾燥機本体１は、ファンにより温風Ｏをホース２内へ供給する。
【００２９】
ホース２は、乾燥機本体１から供給される温風Ｏを乾燥ユニット３に送る。ホース２は、様々な姿勢で乾燥ユニット３を使用できるように、樹脂やゴムなどで蛇腹状に屈曲自在に形成されている。ホース２は、乾燥ユニット３の一部に開口されるホース接続部口に取付けられ、角度を変えられる構成である。
【００３０】
乾燥ユニット３は、布団を乾燥させる温風Ｏを吹き出すものであり、合成樹脂や樹脂を含浸した布状繊維等で厚さが薄い箱形状(筐体形状)に形成されている。つまり、乾燥ユニット３は、扁平な箱形状の乾燥ユニットに形成されている。乾燥ユニット３は、扁平な箱形状のユニットに形成されるため、使用時に変形せず、布団間に入れるだけでセットできる。そのため、乾燥ユニット３の使用姿勢による布団(９、８)の乾燥性能への影響が殆どない。
【００３１】
図３は、乾燥ユニット周辺を示す斜視図である。
乾燥ユニット３は、ホース２に対して角度を変えられるように（角度調整可能）（図３の矢印α１、α２参照）に接続されている。換言すれば、ホース２は、乾燥ユニット３に対して、角度調整自在に構成されている。
【００３２】
乾燥ユニット３は、一端部の中央近辺に前端部側から中央付近にかけて切り欠いた形状の通気スペース３Ｐが形成されている。そして、ホース２が角度調整可能に連結される後部側は、箱形の筺体形状とされている。つまり、乾燥ユニット３は、上面視で、略コの字状の形状をもつ扁平な箱形状(筐体形状)に、合成樹脂や樹脂を含浸した布状繊維等で構成されている。
【００３３】
乾燥ユニット３は、通気スペース３Ｐの両脇に細長い箱形状をもって長手方向に延びる一対の脚部３Ａが形成されている。
乾燥ユニット３は、前端側の両脇に細長い形状をもつ一対の脚部３Ａが形成されることにより、その中央部付近に、布団(８、９)に対して温風Ｏが吹き出すための空間である温風吹き出しスペース３Ｐが形成されている。
乾燥ユニット１３の一対の脚部３Ａの前端面の前端縁３Ａ１には、前部温風吹出し口３ａが左右方向に長い矩形状の孔に形成されている。
【００３４】
また、乾燥ユニット３の一対の脚部３Ａの間の通気スペース３Ｐを形成する中央凹部縁３Ａ２には左右方向に長い凹部温風吹出し口３ｏが形成されている。
乾燥ユニット３の上面側には上部温風吹出し口３ｄｕが円形状に形成されている。同様に、乾燥ユニット３の下面側には下部温風吹出し口３ｄｓが、上部温風吹出し口３ｄｕと同等またはより大きな径の円形の形状に形成されている。
【００３５】
乾燥ユニット３の両側部には、一対の側部温風吹出し口３ｂがそれぞれ長手方向(載置面Ｓに沿った前後方向)に長い形状をもって形成されている。そして、乾燥ユニット３の後部には、前部温風吹出し口３ａと同様、一対の後部温風吹出し口３ｃが形成されている。
【００３６】
ここで、乾燥ユニット３に設けた温風吹出し口(３ｂ、３ｄｕ、３ｄｓ)の内側に制風板を設け、温風Ｏが温風吹出し口(３ｂ、３ｄｕ、３ｄｓ)の外部に効果的に送られるように、ホース２からの温風Ｏを温風吹出し口(３ｂ、３ｄｕ、３ｄｓ)の外部に向かうように案内することが好ましい。なお、温風吹出し口(３ａ、３ｏ、３ｂ、３ｃ、３ｄｕ、３ｄｓ)の少なくとも何れかに制風板を設ける構成としてもよい。
【００３７】
＜乾燥機本体１＞
図４は、乾燥機本体内に乾燥ユニットとホースとを収納した乾燥機本体の外観斜視図である。
乾燥機本体１は、布団乾燥機Ｆの使用中、容易に転倒することがないように安定性が得られる略キューブ型(六面体、直方体)の形状を有している。これにより、乾燥機本体１は、縦置き(図４参照)または横置きの使用が可能な構成としている。なお、横置きとは図４に示す縦置きから、乾燥機本体１を左方または右方に横倒しにした状態をいう。
【００３８】
そのため、布団乾燥機Ｆの未使用時にも、乾燥機本体１の内部にホース２と乾燥ユニット３とを収納取り出し口１Ｅを通して収容して、乾燥機本体１を縦置きや横置き状態にしてしまうことができる。
乾燥機本体１の手前上部には、操作部１ｓ(図４参照)が配置されている。操作部１ｓは表示装置１ｈと複数の操作スイッチ１ｂ(１ｂ１、１ｂ２、……)とを有している。
【００３９】
乾燥機本体１の操作部１ｓ後方には、乾燥機本体１を持ち運びする際に把持されるハンドル４と、乾燥機本体１の収納取り出し口１Ｅを開閉する開閉蓋５とが備わっている。
開閉蓋５は、乾燥機本体１の筺体１ｋの後上部に設けられる回転支持部５ｓに回転自在に支持されている。
【００４０】
乾燥機本体１の前面側には、室内の空気を吸い込む吸込み口(図示せず)が設けられている。吸込み口の手前には、室内の空気中に含まれる粉塵などを取り除くフィルタ (図示せず)が設けられている。
乾燥機本体１には、略中央前側に、ファン収納部１ａとモータ収納部(図示せず)とが設けられている。
【００４１】
ファン収納部１ａには、布団(８、９)に送り込む空気流の温風Ｏを発生させるファン(図示せず)が収容されている。ファンにより引き起こされる空気流は、乾燥機本体１の前面側からフィルタを通過して吸込まれる。モータ収納部には、ファンを回転駆動させるモータが収容されている。
【００４２】
そのため、ファン収納部１ａとモータ収納部とは、乾燥機本体１の内部において、その筺体１ｋから内部に突出した凸形状に形成されている。
ホース２にはファンから空気流（温風Ｏ）が供給されるため、ホース２の一方端部２ｔ１は、ファンが収容されるファン収納部１ａの連結口１ｃに接続されている。連結口１ｃは、内蔵されるファンの空気吐き出し口である。
【００４３】
布団乾燥機Ｆの未使用時には、使用者により、ホース２の他方端部２ｔ２が乾燥ユニット３に対する角度が変えられ（角度調整され）、ホース２は、乾燥機本体１内に無理なく屈曲されてファン収納部１ａ上に収納される。一方、乾燥ユニット３は、中央に通気スペース３Ｐが形成される一対の脚部３Ａ(図３参照)側が下方になる姿勢で乾燥機本体１内に入れられる。詳細には、乾燥ユニット３の通気スペース３Ｐの空間にモータ収納部が入り一対の脚部３Ａ（図３参照）がモータ収納部を跨ぐようにして、乾燥ユニット３が乾燥機本体１内に収納される。
【００４４】
これにより、布団乾燥機Ｆの未使用時、乾燥ユニット３とホース２とを無理なく折り曲げ（角度調整して）、乾燥機本体１内にコンパクトな大きさで収納することができる。  乾燥ユニット３とホース２との角度を調整できることで、乾燥ユニット３とホース２とを乾燥機本体１内に収納する際、乾燥ユニット３のホース２に対する角度を変えられるため、ホース２が必要とする長さを短くできる。
そして、開閉蓋５が閉じられ、乾燥機本体１内に乾燥ユニット３が納まった布団乾燥機Ｆとなる。
【００４５】
次に、乾燥ユニットとホースの構造について説明する。
＜乾燥ユニットの構造＞  
図５（ａ）は、乾燥ユニット単体を示す斜視図であり、図５（ｂ）は、回動機構接続部を示す斜視図である。
図５（ａ）に示すように、乾燥ユニット３は、上部を形成する上ユニットケース３Ｕと下部を形成する下ユニットケース３Ｓとで構成されている。
下ユニットケース３Ｓには、下方に凹形状を成す半円筒形状のホース接続部３ｓ１と、下方に凹形状を成す半円筒形状のホース接続部３ｓ２とが対向する位置に形成されている。
【００４６】
また、下ユニットケース３Ｓには、前部温風吹出し口３ａを成す半割状の下前部温風吹出し口３ａ１、側部温風吹出し口３ｂを成す半割状の下側部温風吹出し口３ｂ１、凹部温風吹出し口３ｏを成す半割状の下凹部温風吹出し口３ｏ１、および、後部温風吹出し口３ｃを成す半割状の下後部温風吹出し口３ｃ１が形成されている。下ユニットケース３Ｓの下面には、円形の形状をもつ下部温風吹出し口３ｄｓが形成されている。
下ユニットケース３Ｓには、上ユニットケース３Ｕを取り付けるための複数のねじ挿通孔（図示せず）が形成されている。
【００４７】
一方、上ユニットケース３Ｕには、略半円筒形状のホース接続部３ｕ１と、略半円筒形状のホース接続部３ｕ２とが左右方向で対向する位置に形成されている。
上ユニットケース３Ｕには、上方に凸形状を成す略半円筒形状のホース接続部３ｕ１と、上方に凸形状を成す略半円筒形状のホース接続部３ｕ２とが、それぞれ下ユニットケース３Ｓの略半円筒形状のホース接続部３ｓ１と略半円筒形状のホース接続部３ｓ２とに上下方向で対向する位置に形成されている。
【００４８】
また、上ユニットケース３Ｕには、前部温風吹出し口３ａを成す略半割状の上前部温風吹出し口３ａ２、側部温風吹出し口３ｂを成す略半割状の上側部温風吹出し口３ｂ２、凹部温風吹出し口３ｏを成す半割状の上凹部温風吹出し口３ｏ２、および、後部温風吹出し口３ｃを成す半割状の上後部温風吹出し口３ｃ２が形成されている。上ユニットケース３Ｕの上面には、円形の形状をもつ上部温風吹出し口３ｄｕが形成されている。
【００４９】
上ユニットケース３Ｕには、下ユニットケース３Ｓの複数のねじ挿通孔に対向する位置に、雌ねじ（図示せず）が下方から上方に向けて螺刻されている。ねじを下ユニットケース３Ｓのねじ挿通孔を挿通させて、上ユニットケース３Ｕの雌ねじに螺着することで、下ユニットケース３Ｓと上ユニットケース３Ｕとが固定され、乾燥ユニット３（図５（ａ）参照）が形成される。
【００５０】
＜回動機構接続部６＞
図５（ｂ）に示す回動機構接続部６は、乾燥ユニット３とホース２とを回動自在に接続する部材である。
回動機構接続部６は、乾燥ユニット接続部６ａとホース接続部６ｂとを有して、樹脂成形される。回動機構接続部６は、一体に成形してもよいし、上下２分割構造として上下を結合する構成としてもよい。なお、図５（ｂ）では、回動機構接続部６を上下２分割で構成した場合を示している。
【００５１】
ここで、図３の二点鎖線に示すように、乾燥ユニット３と回動機構接続部６との間を密封するゴム等の弾性部材のシール部材Ｓｅを、乾燥ユニット３と回動機構接続部６の乾燥ユニット接続部６ａとの少なくとも何れか一方に設けるとよい。これにより、乾燥ユニット３と回動機構接続部６の乾燥ユニット接続部６ａとの間の密閉度が向上し、温風Ｏが漏出することが抑制できる。
【００５２】
乾燥ユニット接続部６ａは、略円筒形状を有している。乾燥ユニット接続部６ａは、下ユニットケース３Ｓのホース接続部３ｓ１、３ｓ２と上ユニットケース３Ｕのホース接続部３ｕ１、３ｕ２との内方に嵌入される。これにより、回動機構接続部６が上・下ユニットケース３Ｕ、３Ｓに接続される。
【００５３】
そのため、乾燥ユニット接続部６ａの外径ｓ１（図５（ｂ）参照）は、下ユニットケース３Ｓのホース接続部３ｓ１と上ユニットケース３Ｕのホース接続部３ｕ１とが成す径ｓ２（図５（ａ）参照）および下ユニットケース３Ｓのホース接続部３ｓ２と上ユニットケース３Ｕのホース接続部３ｕ２とが成す径ｓ２（図５（ａ）参照）より若干小さく形成されている。
【００５４】
乾燥ユニット接続部６ａには、前方温風吹き出し口６ａ１、両側方の側方温風吹き出し口６ａ２、および、後方温風取り入れ口６ａ３が開口されている。
ホース接続部６ｂは、乾燥ユニット接続部６ａに一体に連続して箱状に形成されている。
【００５５】
ホース接続部６ｂは内部に温風送り孔６ｂ１が前後方向に貫通し、乾燥ユニット接続部６ａの後方温風取り入れ口６ａ３に連通して形成されている。
ホース接続部６ｂには、ホース２の他方端部２ｔ２に接続されるホース接続アタッチメント２ａの係合部（図示せず）が係合される被係合部（図示せず）が形成されている。
【００５６】
図６（ａ）は、回動機構接続部６とホース２とを接続した状態を示す斜視図であり、図６（ｂ）は、回動機構接続部６と乾燥ユニット３とを接続した状態を示す斜視図である。
図５（ｂ）に示す回動機構接続部６の被係合部に、ホース２の他方端部２ｔ２のホース接続アタッチメント２ａの係合部を係合させることで、図６（ａ）に示すように、回動機構接続部６にホース２を接続することができる。
【００５７】
図５（ｂ）に示す回動機構接続部６の円筒形状の乾燥ユニット接続部６ａを、図５（ａ）に示す下ユニットケース３Ｓの半円筒形状のホース接続部３ｓ１、３ｓ２と上ユニットケース３Ｕの半円筒形状のホース接続部３ｕ１、３ｕ２とで挟み込む。
この状態で、ねじを下ユニットケース３Ｓのねじ挿通孔を挿通させて、上ユニットケース３Ｕの雌ねじに螺着することで、図６（ｂ）に示すように、回動機構接続部６が乾燥ユニット３に回動自在に接続される。
【００５８】
そして、乾燥ユニット３に回動自在に接続された回動機構接続部６の被係合部に、ホース２の他方端部２ｔ２のホース接続アタッチメント２ａの係合部を係合させることで、図３に示すように、ホース２が乾燥ユニット３に回動自在（図３の矢印α１、α３参照）に接続される。
【００５９】
図７（ａ）、（ｂ）は、乾燥ユニットとホースとの姿勢の変化を示す側面図であり、図７（ｃ）は、図７（ａ）、（ｂ）の姿勢での乾燥ユニット３内の温風の流れを示す平面図である。
上述の構成により、図７（ａ）に示すように、乾燥ユニット３は、回動機構接続部６を介して、ホース２と直線状の姿勢をとることができる。
【００６０】
また、図７（ｂ）に示すように、乾燥ユニット３は、回動機構接続部６を介して、ホース２に対して略３０°や略４５°等の任意の角度となる姿勢をとることができる。
図７（ａ）、（ｂ）の乾燥ユニット３とホース２との姿勢においては、乾燥機本体１のファンからホース２を通して送られる温風は、図７（ｃ）の破線矢印に示すように、回動機構接続部６の前方温風吹き出し口６ａ１、左右の側方温風吹き出し口６ａ２から温風が乾燥ユニット３内に広く吹出される。
【００６１】
図８（ａ）は、乾燥ユニット３をホース２に対して９０°の角度に曲げた状態を示す側面図であり、図８（ｂ）は、乾燥ユニット３をホース２に対して９０°の角度に曲げた状態での乾燥ユニット内の温風の流れを示す平面図である。
図８（ａ）に示すように、乾燥ユニット３は、回動機構接続部６を介して、ホース２に対して例えば略９０°となる姿勢をとることができる。この場合、図８（ｂ）に示すように、回動機構接続部６の前方温風吹き出し口６ａ１が乾燥ユニット３の底板に対向して閉塞状態近くになることから、乾燥機本体１のファンからホース２を通して送られる温風Ｏは、回動機構接続部６の左右の側方温風吹き出し口６ａ２から温風が乾燥ユニット３内に吹出される。
【００６２】
図７（ａ）、（ｂ）、図８（ａ）に示すように、乾燥ユニット３は、ホース２に対して、回動機構接続部６を介して、布団乾燥機Ｆの使用時、未使用時の様々な状態に適合した姿勢（角度）をとることが可能である。このように、乾燥ユニット３は、ホース２に対して角度を変えることができることからホース２に対して無理のない様々な姿勢をとることができる。
【００６３】
具体的には、図２に示す布団（８、９）の乾燥時のセッティングに際して、乾燥ユニット３はホース２に対して角度を変えられる。或いは、図４に示す乾燥ユニット３、ホース２等の乾燥機本体１への収納に際して、乾燥ユニット３はホース２に対して角度を変えられる。このように、乾燥ユニット３をホース２に対して折り曲げることができることから、ホース２の長さを可及的に短くすることができる。
【００６４】
上記構成によれば、下記の作用効果を奏する。
１．乾燥ユニット３は、回動機構接続部６を介して、ホース２に対して角度を変えられることから、乾燥ユニット３をホース２に対して無理なく様々な姿勢をとることができる。
【００６５】
２．そのため、ホース２の長さを可及的に短くできる。
【００６６】
３．従って、布団乾燥機Ｆの使用に際して、乾燥ユニット３とホース２との取り扱いが無理なく円滑かつ容易に行える。また、乾燥ユニット３、ホース２を乾燥機本体１の内部に収納するに際して、乾燥ユニット３とホース２とが様々な角度に屈曲できるので、乾燥ユニット３とホース２との収納作業が円滑かつ容易になる。
【００６７】
４．従って、布団乾燥機Ｆの使用性、収納性を含む取り扱い性が向上する。
【００６８】
５．このように、乾燥ユニット３とホース２との成す角度を変えられることからホース２を可及的に短くでき、ホース２の原料費を削減できる。そのため、布団乾燥機Ｆのコスト削減を図れる。
【００６９】
６．乾燥ユニット３と回動機構接続部６の乾燥ユニット接続部６ａとの間を密封するゴム等の弾性部材であるシール部材Ｓｅを設ければ、乾燥ユニット３と回動機構接続部６の乾燥ユニット接続部６ａとの間からの温風Ｏの漏出を抑制できる。
【００７０】
７．以上のことから、使用性、収納性を含む取り扱い性が向上する低コストの布団乾燥機Ｆを提供することができる。
【００７１】
＜変形例１＞
図９（ａ）、（ｂ）は、それぞれ変形例１の布団乾燥機の乾燥ユニットの他例１、２を示す斜視図である。
変形例１の乾燥ユニット１３、２３は、それぞれ前後方向または前後左右方向に伸縮する構成としたものである。
その他の構成は、実施形態と同様であるから同様な構成には、同一の符号を付して示し詳細な説明は省略する。
【００７２】
図９（ａ）に示す乾燥ユニット１３は、通気スペース３Ｐの両脇に細長い箱形状をもって長手方向に延びる一対の脚部１３Ａに嵌装される調整脚部３Ｂがそれぞれ設けられる。そして、調整脚部３Ｂの脚部１３Ａからの突出長さを調整して、左右の一対の箱状脚部１３Ａの前後方向の全長さを調整する。各調整脚部３Ｂの前端縁３Ｂ１には、温風Ｏを吹き出すための前部温風吹出し口３ａがそれぞれ設けられている。
【００７３】
上記乾燥ユニット１３にも、実施形態の回動機構接続部６が適用される。乾燥ユニット１３は、回動機構接続部６を介して、ホース２と成す角を調整できる（図９（ａ）の矢印β１１、β１２参照）。
図９（ｂ）に示す乾燥ユニット２３は、左右の一対の箱状脚部(２３Ａ、２３Ｂ)の前後方向の全長さを調整（図９（ｂ）の矢印α１１、α１２）に加えて、左右の幅方向に伸び縮み可能（図９（ｂ）の矢印α２１、α２２）としたものである。
【００７４】
左右の一対の脚部２３Ａと一対の脚部２３Ａの根元部を形成する本体部３Ｈとを具備している。
本体部３Ｈは、本体下部体７と本体上部体８とを有している。本体下部体７は、本体部３Ｈの下部を構成し、本体上部体８は、本体部３Ｈの上部を構成する。
左右の一対の脚部２３Ａには、前後方向に延び縮みできる調整脚部３Ｂがそれぞれ嵌装されている。この構成により、各調整脚部３Ｂの脚部２３Ａからの突出長さを調整して、左右の一対の箱状脚部(２３Ａ、２３Ｂ)の前後方向の全長さを調整できる（図９（ｂ）の矢印α１１、α１２）。また、本体部３Ｈからの左右の一対の脚部２３Ａの幅方向長さを調整できる（図９（ｂ）の矢印α２１、α２２）。
【００７５】
上記乾燥ユニット２３にも、実施形態の回動機構接続部６が適用される。乾燥ユニット２３は、回動機構接続部６を介して、ホース２と成す角を調整できる（図９（ｂ）の矢印β２１、β２２参照）。
変形例１においても、実施形態と同様な作用効果を奏する。
【００７６】
＜変形例２＞
図１０は、変形例２の布団乾燥機の乾燥ユニットを示す斜視図である。
変形例２の乾燥ユニット３３は、扁平な直方体状の構成としたものである。  
その他の構成は、実施形態と同様であるから同様な構成には、同一の符号を付して示し詳細な説明は省略する。
【００７７】
乾燥ユニット３３には、前部に配置される前部温風吹出し口１３ａと、左右側部に配置される側部温風吹出し口１３ｂと、後部に配置され、前部温風吹出し口１３ａと同様な形状の後部温風吹出し口１３ｃと、上部及び下部に配置される上下部温風吹出し口１３ｄとが設けられている。
【００７８】
上記乾燥ユニット３３にも、実施形態の回動機構接続部６が適用される。乾燥ユニット３３は、回動機構接続部６を介して、ホース２と成す角を調整できる（図１０の矢印β３１、β３２参照）。
変形例２においても、実施形態と同様な作用効果を奏する。
【００７９】
＜変形例３＞
図１１は、変形例３の布団乾燥機の乾燥ユニットを示す斜視図である。
変形例３の乾燥ユニット４３は、長形の筐体形状（箱状）の構成としたものである。  
その他の構成は、実施形態と同様であるから同様な構成には、同一の符号を付して示し詳細な説明は省略する。
【００８０】
乾燥ユニット４３には、前部に配置される前方下方向吹出し口２３ａと、左右側部に配置される側部温風吹出し口２３ｂと、前方下部に配置される前方下部温風吹出し口（吹出し口）（図示せず）とが設けられている。
上記乾燥ユニット４３にも、実施形態の回動機構接続部６が適用される。乾燥ユニット４３は、回動機構接続部６を介して、ホース２と成す角を調整できる（図１１の矢印β４１、β４２参照）。
変形例３においても、実施形態と同様な作用効果を奏する。
【００８１】
＜変形例４＞
図１２は、変形例４の布団乾燥機本体を示す斜視図である。
変形例４の布団乾燥機本体１１は、左右の何れかの側方に乾燥ユニット３とホース２との収納取り出し口１１Ｅを設けたものである。
その他の構成は、実施形態と同様であるから同様な構成には、同一の符号を付して示し詳細な説明は省略する。
【００８２】
布団乾燥機本体１１の収納取り出し口１１Ｅは、布団乾燥機本体１１の左右側方の何れかに設けられている。
この場合、ファン収納部とモータ収納部(図示せず)とは、布団乾燥機本体１１における収納取り出し口１１Ｅが配置される側と反対側の側部に配置される。
【００８３】
上記構成によれば、乾燥ユニット３とホース２とを布団乾燥機本体１１の側方から取り出せる。
また、乾燥ユニット３とホース２とを布団乾燥機本体１１の側方から収納できる。そのため、収納性が向上する。
【００８４】
また、乾燥ユニット３とホース２とを収納または取り出す収納取り出し口１１Ｅを側方に設けたので、ホース２を収納取り出し口１１Ｅから延ばすとともに、乾燥ユニット３とホース２との角度を回動機構接続部６により変えて、乾燥ユニット３を低い高さにある布団に収納取り出し口１１Ｅから最短距離で導くことができる。
【００８５】
また、乾燥ユニット３とホース２とを布団乾燥機本体１１内に収納する際、乾燥ユニット３とホース２との角度を回動機構接続部６で変えて側方から収納できる。
そのため、ホース２の長さを短くできる。
【００８６】
また、収納取り出し口１１Ｅが布団乾燥機本体１１の側方にあるので、室内の塵埃がかかりずらく、入りにくい。そのため、収納取り出し口１１Ｅに蓋１５を設けないでもよい。なお、収納取り出し口１１Ｅに蓋１５を設けてもよいし、設けなくともよい。
【００８７】
また、収納取り出し口１１Ｅが布団乾燥機本体１１の側方にあるので、布団乾燥機Ｆの使用時、ホース２がより下方から（布団乾燥機本体１１の重心より下方から）引き出せ、布団乾燥機本体１１が倒れずらい。
【００８８】
＜変形例５＞
図１３（ａ）は、変形例５の乾燥ユニットとホースとの接続部近傍を示す斜視図であり、図１３（ｂ）は、変形例５の回動機構接続部を示す斜視図である。
変形例５の布団乾燥機は、図１３（ａ）に示すように、乾燥ユニット５３をホース２に対して前後方向（図１３（ａ）の矢印β５１、β５２）のみならず、左右方向（図１３（ａ）の矢印γ１１、γ１２）に角度調整自在な構成としたものである。
その他の構成は、実施形態と同様であるから同様な構成には、同一の符号を付して示し詳細な説明は省略する。
【００８９】
変形例５の布団乾燥機の回動機構接続部１６は、図１３（ｂ）に示すように、乾燥ユニット接続部１６ａとホース接続部１６ｂとを有している。回動機構接続部１６は、例えば樹脂成形される。回動機構接続部１６は、上下２分割構造として上下を結合する構成としている。
【００９０】
乾燥ユニット接続部１６ａは、略球形状を有している。乾燥ユニット接続部１６ａは、乾燥ユニット５３を構成する下ユニットケース３３Ｓの内部が略半球形状のホース接続部３３ｓ１、３３ｓ２と、乾燥ユニット５３を構成する上ユニットケース３３Ｕの内部が略半球形状のホース接続部３３ｕ１、３３ｕ２との内部に嵌入される。これにより、回動機構接続部１６が上・下ユニットケース３Ｕ、３Ｓに接続される。
【００９１】
そのため、下ユニットケース３Ｓの内部が略半球形状のホース接続部３３ｓ１と上ユニットケース３３Ｕの内部が略半球形状のホース接続部３３ｕ１、および、下ユニットケース３Ｓの内部が略半球形状のホース接続部３３ｓ２と上ユニットケース３３Ｕの内部が略半球形状の上ホース接続部３３ｕ２とは、それぞれ略球形状の乾燥ユニット接続部１６ａの外径ｓ３よりも若干大きな内部の径を有している。
乾燥ユニット接続部１６ａは、前方温風吹き出し口１６ａ１、側方温風吹き出し口１６ａ２、後方温風取り入れ口１６ａ３が開口されている。
【００９２】
ホース接続部１６ｂは、乾燥ユニット接続部１６ａに連続して箱状に形成されている。
ホース接続部１６ｂは内部に温風送り孔１６ｂ１が前後方向に貫通して形成されており、乾燥ユニット接続部１６ａの後方温風取り入れ口１６ａ３に連通して形成されている。
【００９３】
ホース接続部１６ｂには、ホース２の他方端部２ｔ２に接続されるホース接続アタッチメント２ａの係合部（図示せず）が係合される被係合部（図示せず）が形成されている。
【００９４】
上記構成により、前記した実施形態と同様にして乾燥ユニット５３とホース２とを、ホース接続部１６を介して、接続できる。
ホース接続部１６が略球形状を有しており、下ユニットケース３Ｓの略球形状のホース接続部３３ｓ１、３３ｓ２と上ユニットケース３３Ｕの略球形状のホース接続部３３ｕ１、３３ｕ２との内部に嵌合する構成なので、図１３（ａ）に示すように、乾燥ユニット５３がホース２に対して、前後方向（図１３（ａ）の矢印β５１、β５２）のみならず、左右方向（図１３（ａ）の矢印γ１、γ２）に角度調整できる。
【００９５】
つまり、乾燥ユニット５３がホース２に対して、前後方向（図１３（ａ）の矢印β５１、β５２）のみならず、左右方向（図１３（ａ）の矢印γ１、γ２）に角度を変えられる。
従って、乾燥ユニット５３をホース２に対して様々な方向で角度を変えられ、乾燥ユニット５３とホース２との取り扱い性がより向上する。
なお、変形例５においても、実施形態と同様な作用効果を奏する。
【００９６】
＜＜その他の実施形態＞＞
１．なお、前記実施形態では、ホース接続部６を乾燥ユニット３とホース２と別体に構成する場合を示したが、乾燥ユニット３とホース２との少なくとも何れか一方と一体に構成してもよい。
【００９７】
２．前記実施形態では、乾燥ユニット３がホース２に固定される回動機構接続部６に対して角度を変化させる場合を例示したが、ホース２が乾燥ユニット３に固定される回動機構接続部に対して角度を変化させる構成としてもよい。この場合、シール部材Ｓｅ（図３参照）は、回動機構接続部６とホース２との少なくとも何れかに設ける。
【００９８】
３．なお、前記実施形態、変形例は本発明の一態様を示したものであり、特許請求の範囲内で様々な具体的形態が可能である。
【符号の説明】
【００９９】
１、１１  乾燥機本体(本体部)
２  ホース
３、１３、２３、３３  乾燥ユニット
３ａ    前部温風吹出し口(吹出し口)
３ｂ    側部温風吹出し口(吹出し口)
３ｃ、１３ｃ  後部温風吹出し口(吹出し口)
３ｄ、１３ｄ  上下部温風吹出し口(吹出し口)
６、１６      回動機構接続部
８      敷き布団(布団)
９      掛け布団(布団)
１１Ｅ  収納取り出し口（側方収納取り出し口）
１３ａ  前部温風吹出し口(吹出し口)
１３ｂ  側部温風吹出し口(吹出し口)
２３ａ  前方下方向吹出し口(吹出し口)
２３ｂ  側部温風吹出し口(吹出し口)
２Ｆ      布団乾燥機
Ｏ      温風
Ｓｅ    シール部材
β１１、β１２、β２１、β２２、β３１、β３２、β４１、β４２、β５１、β５２  第１の方向
γ１１、γ１２  第２の方向
【図１】
2017074198.tif 000003
【図２】
2017074198.tif 000004
【図３】
2017074198.tif 000005
【図４】
2017074198.tif 000006
【図５】
2017074198.tif 000007
【図６】
2017074198.tif 000008
【図７】
2017074198.tif 000009
【図８】
2017074198.tif 000010
【図９】
2017074198.tif 000011
【図１０】
2017074198.tif 000012
【図１１】
2017074198.tif 000013
【図１２】
2017074198.tif 000014
【図１３】
2017074198.tif 000015
【図１４】
2017074198.tif 000016
【図１５】
2017074198.tif 000017
【手続補正書】
【提出日】平成28年12月20日(2016.12.20)
【手続補正１】
【補正対象書類名】特許請求の範囲
【補正対象項目名】請求項１
【補正方法】変更
【補正の内容】
【請求項１】
布団近くに置かれる乾燥ユニットとホースと温風を供給する本体部とを備え、前記本体部から供給される前記温風を前記ホースを介して前記乾燥ユニットから吹き出し、前記布団を乾燥させる布団乾燥機であって、
前記乾燥ユニットは、箱形状に形成され、前記温風を外部に吹き出す吹出し口を複数有し、
前記乾燥ユニットと前記ホースとの間に設けられ、屈曲することなく前記乾燥ユニットの前記ホースに対する角度を互いの相対的な回転運動で可変とする回動機構接続部を備え、
前記回動機構接続部は、
前記ホース内に連通する送り孔と、前記乾燥ユニットの可変とされる角度の両側方に位置する第１開口を有する円筒形状の乾燥ユニット接続部とを有し、
前記乾燥ユニットは、
前記乾燥ユニット接続部が嵌合され、側方に前記第１開口に連通する第２開口を有する円筒形状のホース接続部を有する 
ことを特徴とする布団乾燥機。
【手続補正２】
【補正対象書類名】明細書
【補正対象項目名】００１４
【補正方法】変更
【補正の内容】
【００１４】
前記課題を解決するため、第１の本発明の布団乾燥機は、布団近くに置かれる乾燥ユニットとホースと温風を供給する本体部とを備え、前記本体部から供給される前記温風を前記ホースを介して前記乾燥ユニットから吹き出し、前記布団を乾燥させる布団乾燥機であって、前記乾燥ユニットは、箱形状に形成され、前記温風を外部に吹き出す吹出し口を複数有し、前記乾燥ユニットと前記ホースとの間に設けられ、屈曲することなく前記乾燥ユニットの前記ホースに対する角度を互いの相対的な回転運動で可変とする回動機構接続部を備え、前記回動機構接続部は、前記ホース内に連通する送り孔と、前記乾燥ユニットの可変とされる角度の両側方に位置する第１開口を有する円筒形状の乾燥ユニット接続部とを有し、前記乾燥ユニットは、前記乾燥ユニット接続部が嵌合され、側方に前記第１開口に連通する第２開口を有する円筒形状のホース接続部を有している。
【手続補正３】
【補正対象書類名】明細書
【補正対象項目名】００９９
【補正方法】変更
【補正の内容】
【００９９】
１、１１  乾燥機本体(本体部)
２  ホース
３、１３、２３、３３、５３  乾燥ユニット
３ａ    前部温風吹出し口(吹出し口)
３ｂ    側部温風吹出し口(吹出し口)
３ｃ、１３ｃ  後部温風吹出し口(吹出し口)
３ｄ、１３ｄ  上下部温風吹出し口(吹出し口)
３ｓ１、３ｓ２、３ｕ１、３ｕ２ ホース接続部（第２開口）
６、１６  回動機構接続部
６ａ 乾燥ユニット接続部
６ａ２ 側方温風吹き出し口（第１開口）
６ｂ１ 温風送り孔（送り孔）
８      敷き布団(布団)
９      掛け布団(布団)
１１Ｅ  収納取り出し口（側方収納取り出し口）
１３ａ  前部温風吹出し口(吹出し口)
１３ｂ  側部温風吹出し口(吹出し口)
２３ａ  前方下方向吹出し口(吹出し口)
２３ｂ  側部温風吹出し口(吹出し口)
Ｆ    布団乾燥機
Ｏ      温風
Ｓｅ    シール部材
β１１、β１２、β２１、β２２、β３１、β３２、β４１、β４２、β５１、β５２  第１の方向
γ１１、γ１２  第２の方向